(57)【特許請求の範囲】
【請求項１】
開口部を有し、保管対象物を保管する収納室を備え、電磁波に対するシールド対策が施された本体、および、前記本体の前記開口部に開閉自在に設けられ、シリンダ錠が配置される樹脂製のフレーム枠を有したスライド式の開閉扉を備えた保管庫と、
前記保管庫の前記開閉扉の前面を覆うように後付けにより取り付けられ、電磁シールド装置としての機能を備えた認証ロック機構付きのシャッタ部と、
前記収納室内に設けられたアンテナ部と、
前記アンテナ部を介して、前記保管対象物に予め付されたＩＣタグのタグ情報を読み取るタグ情報読み取り部を有し、前記タグ情報読み取り部で読み取った前記タグ情報に基づいて、前記保管庫で保管される前記保管対象物を管理する管理制御部と、
を備えることを特徴とする保管庫システム。
【請求項２】
前記タグ情報読み取り部は、無線通信により前記ＩＣタグに事前に登録されているタグ情報を非接触で読み取ることを特徴とする請求項１に記載の保管庫システム。
【請求項３】
前記アンテナ部と前記管理制御部とによって、管理装置としてのＲＦＩＤシステムが構成されていることを特徴とする請求項１に記載の保管庫システム。
【請求項４】
前記管理装置は、前記アンテナ部と前記管理制御部とが、防磁用の金属製のメッシュが配置された防磁ケーブルからなる有線ケーブルを介して接続されていることを特徴とする請求項３に記載の保管庫システム。
【請求項５】
前記有線ケーブルは、前記本体を貫通しており、その貫通部分には漏磁防止策が施されていることを特徴とする請求項４に記載の保管庫システム。
【請求項６】
前記管理装置は、外部通信ユニットをさらに備えることを特徴とする請求項３に記載の保管庫システム。
【請求項７】
前記開閉扉は、前記フレーム枠によって保持されたガラス窓を備えることを特徴とする請求項１に記載の保管庫システム。
【発明の詳細な説明】
【技術分野】
【０００１】
本発明は、ＲＦＩＤ（Radio Frequency IDentification）システムを用いて、冷蔵庫などの保管庫内に収納された物品（ワーク）を管理するための収納品管理機能を備えた保管庫システムに関する。
【背景技術】
【０００２】
従来、薬品などの保管対象物を物品として収納・保管する保管庫として、例えば特許文献１に記載されたような冷蔵庫が提案されている。
【０００３】
この特許文献１に記載の冷蔵庫は、出入り口を通過する物品の種別を含む物品情報を検出することによって、庫外に一時的に取り出された物品をも適切に管理できるようにしたものである。
【先行技術文献】
【特許文献】
【０００４】
【特許文献１】特許第３６３９４０８号公報
【発明の概要】
【発明が解決しようとする課題】
【０００５】
しかしながら、引用文献１に記載の冷蔵庫は、物品を出し入れする際に、その物品に関する情報を物品情報読み取り装置で読み取るので、読み取りの際に生じる電磁波が冷蔵庫の外部に漏出（漏磁）する可能性がある。電磁波が冷蔵庫の外部に漏出すると、物品に関する各種の情報が第三者などに漏れてしまう恐れがある。逆に、読み取り時に外部の保管対象外の物品の情報が混入する可能性もあり、収納品管理の精度を悪化させる要因となっていた。
【０００６】
特に、昨今の普及が目覚ましい、スライド式の開閉扉を備えた冷蔵庫においては、有効なシールド対策と共に、より強固なセキュリティ対策が模索されていた。
【０００７】
本発明は、上記に鑑みてなされたもので、その目的とするところは、保管庫で保管される保管対象物のセキュリティ性を向上できると共に、電磁波の当該保管庫からの漏出や庫外からの混入を抑制することが可能な保管庫システムを提供することにある。
【課題を解決するための手段】
【０００８】
上記課題を達成するため、本発明の一態様の保管庫システムは、開口部を有し、保管対象物を保管する収納室を備え、電磁波に対するシールド対策が施された保管庫の本体と、前記開口部を開閉する開閉扉と、前記開閉扉の前面を覆うように配置され、電磁シールド装置としての機能を備えたシャッタ部と、前記収納室内に設けられたアンテナ部と、前記アンテナ部を介して、前記保管対象物に予め付されたＩＣタグのタグ情報を読み取るタグ情報読み取り部を有し、前記タグ情報読み取り部で読み取った前記タグ情報に基づいて、前記保管庫で保管される前記保管対象物を管理する管理制御部と、を備えることを特徴とする。
【０００９】
本発明の一態様の保管庫システムによれば、保管庫の前面にシャッタ部を配置することによって、収納室が不用意に開放されるのを簡単に防止できるようになる。これにより、開口部を開閉する開閉扉の有無や構造によらず、保管庫で保管される保管対象物のセキュリティ性を格段に向上させることが可能となる。つまり、施錠が比較的に脆弱とされるスライド式の開閉扉の場合であっても、高いセキュリティ性を確保できる。
【００１０】
また、シャッタ部に電磁シールド装置としての機能を備えさせることによって、シャッタ部の閉時には、完全なシールド空間内において、保管対象物の保管とタグ情報の読み取りとを行うことが可能となる。したがって、電磁波の漏出のみならず、混入をも防止できる。よって、保管対象物に関する各種の情報が外部の第三者などに漏出するのを防止できると共に、保管対象外の物品情報を誤って読み取ることにより収納品管理の精度が悪化するのを改善することが可能となる。
【発明の効果】
【００１１】
本発明によれば、保管庫で保管される保管対象物のセキュリティ性を向上できると共に、電磁波の当該保管庫からの漏出や庫外からの混入を抑制することが可能な保管庫システムを提供できる。
【図面の簡単な説明】
【００１２】
【図１】本発明の第１の実施の形態に係る保管庫システムの構成例（シャッタ開時）を概略的に示す斜視図である。
【図２】図１に示した保管庫システムの構成例（シャッタ開時）を示す概略正面図である。
【図３】図１に示した保管庫システムの構成例（シャッタ閉時）を示す概略斜視図である。
【図４】本実施の形態に係る保管庫システムが適用される保管庫の内部構造を、開閉扉を透過した状態で示す概略構成図である。
【図５】本実施の形態に係る保管庫システムの回路構成例を示すブロック図である。
【図６】第２の実施の形態に係る保管庫システムの構成例（シャッタ開時）を示す概略正面図である。
【発明を実施するための形態】
【００１３】
以下、本発明の態様として、いくつかの実施の形態について図面を参照しながら説明する。
【００１４】
なお、後述する各実施の形態においては、保管庫として、薬品などが収容された複数のボトル状の容器（以下、ボトルと略記する）を、好ましくは４℃程度で保管するために、例えば２℃から６℃の温度範囲で運転可能な冷蔵庫を例示して説明する。
【００１５】
＜第１の実施の形態＞
［保管庫システムの全体構成］
図１〜図３は、本発明の第１の実施の形態に係る保管庫システムの構成を概略的に示すもので、図１は、シャッタ部２４を開けた状態（シャッタ開時）を例示する斜視図であり、図２は、同じく正面図である。図３は、シャッタ部２４を閉めた状態（シャッタ閉時）を例示する斜視図である。また、図４は、保管庫システムを構成する保管庫１の内部構造を、開閉扉３を透過した状態で示す概略図である。
【００１６】
図１〜図３において、本実施の形態に係る保管庫システムは、保管庫１と、該保管庫１で保管される物品（保管対象物）の在庫などに関する在荷情報を管理する管理装置（例えば、ＲＦＩＤシステム）９９と、から構成されている。
【００１７】
保管庫１は、好ましくは４℃程度の低温状態を維持するように、例えば、温度調整された状態で物品である薬品などのボトルＢを収納・保管できる冷蔵庫である。
【００１８】
保管庫１は、開口部１０を有する冷蔵庫本体２と、冷蔵庫本体２の前面側に摺動自在に設けられ、開口部１０を開閉する、例えばスライド式の開閉扉３と、を備える。
【００１９】
冷蔵庫本体２は、好ましくは箱型の筐体であり、上面４と、下面（底面）５と、左右の側面６，７と、背面（裏面）８と、前面（開口面）９と、を有している。冷蔵庫本体２は、少なくとも筐体の外周部分が金属製であり、例えば、ＳＵＳ（ステンレス鋼）などの特定周波数の電磁波に対するシールド性を有する金属部材によって形成されている。
【００２０】
また、冷蔵庫本体２は、例えば図４に示すように、内部に収納室２０を有する。収納室２０は、ほぼ直方体形状とされて、上面２０Ａ、下面（底面）２０Ｂ、左右の側面２０Ｃ，２０Ｄ、および、背面２０Ｅからなる内面を有する。なお、背面２０Ｅに対向する収納室２０の前面側は、開口部１０が設けられる開口面となっている。
【００２１】
冷蔵庫本体２には、図４に示すように、収納室２０内の温度調整を行うための温度調整空気導入経路３０が、収納室２０の内面に沿って設けられている。温度調整空気導入経路３０は、温度調整のために、後述する温度調整器３１からの温度調整空気を収納室２０内に循環させるためのものである。温度調整器３１は、図示していない熱交換器とヒータとを有しており、収納室２０内の温度調整を行うことができる。
【００２２】
収納室２０には、少なくとも１つ（ここでは、２段分）の棚板２１が着脱自在に設けられている。上下方向の位置である、縦方向の棚板２１の幅（間隔）を変更することによって、より高さのあるボトルＢも収納可能であり、上下方向に複数のボトルＢを積み重ねて収納させることもできる。
【００２３】
収納室２０内には、さらに、後述する制御用温度計６０が配置されている。制御用温度計６０は、例えば、収納室２０内において最も温度変化の大きい敏感な箇所に配置されるようになっている。
【００２４】
ここで、ボトルＢは、その内部に収容される薬品などの影響を受けにくく、また、影響しにくい、例えばガラス瓶などのガラス製の容器によって構成されている。
【００２５】
収納室２０に収納され、収納室２０内で保管されるボトルＢには、それぞれ、ＲＦＩＤタグ（ＩＣタグ）２２が予め付されている。ＲＦＩＤタグ２２には、例えば、ボトルＢの製造番号（ロット番号）や、ボトルＢ内に収容されている薬品などの種類（薬品名）、または、その薬品の使用期限などといったタグ情報（物品情報）が事前に登録されている。
【００２６】
なお、収納室２０内では、ボトルＢ以外にも、ＲＦＩＤタグを付すことによって、薬品などが収容されている箱体や、薬品以外の、各種の物品を保管することも可能である。
【００２７】
そして、冷蔵庫本体２の前面９に対して、収納室２０との間で、ボトルＢを出し入れするための開口部１０が矩形状に設けられている。
【００２８】
本実施の形態においては、図４に示すように、ボトルＢに予め付されたＲＦＩＤタグ２２のタグ情報に基づいて、保管庫１で保管されるボトルＢの在庫などの在荷情報を管理する管理装置９９の、アンテナ（アンテナ部）２３が収納室２０内に配置されている。アンテナ２３は、収納室２０の、例えば、上面２０Ａに配置されたアンテナ２３Ａと、左右の側面２０Ｃ，２０Ｄの一方（ここでは、側面２０Ｃ）に配置されたアンテナ２３Ｃと、背面２０Ｅに配置されたアンテナ２３Ｅと、を備えている。アンテナ２３（２３Ａ，２３Ｃ、２３Ｅ）は、ＲＦＩＤタグ２２からのタグ情報を受信するためのもので、例えばシート状の薄型アンテナなどが用いられる。
【００２９】
なお、各アンテナ２３の配置数や配置位置、大きさなどは、例えば受信感度に応じて、適宜、最適な状態となるように任意に設定できる。
【００３０】
図１および図２に示すように、冷蔵庫本体２および開口部１０の開閉扉３は、外部（庫外）に対する密封性と断熱性とを保持している。特に、開閉扉３は、冷蔵庫本体２の前面９の開口部１０を左右方向に半分ずつ開閉可能とすると共に、閉時には、開口部１０を隙間なく閉じることができる。
【００３１】
また、開閉扉３は、引き手（または、取っ手）３Ａを備えると共に、閉時にも冷蔵庫本体２の収納室２０内が見えるように、透光性を有する、例えばガラス窓３Ｒを備えている。開閉扉３は、例えば、ガラス窓３Ｒのフレーム枠の部分が樹脂によって形成されて、結露のしにくい構造となっている。
【００３２】
そして、開閉扉３の、ガラス窓３Ｒの周辺部分および開口部１０の周囲部分には、図示していない金属フィンガやパッキンなどが配置されている。したがって、開閉扉３は、開口部１０を閉じることにより、内部を透過しつつ、収納室２０を密閉状態に保持できる。
【００３３】
スライド式の開閉扉３は、例えば、図示していないシリンダ型の鍵（シリンダ鍵）と錠（シリンダ錠）とによって施解錠することが可能とされている。
【００３４】
保管庫１は、シリンダ鍵の管理を徹底することによって、保管上のセキュリティ性が確保される。例えば、保管庫１が通常の連続運転を行っている際に、認証を受けた使用者（認証者）以外の非認証者または第三者が開閉扉３を開けられないようにすることによって、保管されているボトルＢが勝手に取り出されるのを防止できる。
【００３５】
ここで、ガラス窓３Ｒを有するスライド式の開閉扉３を備えた冷蔵庫が適用される保管庫１の場合、例えば、樹脂からなるフレーム枠の部分にシリンダ錠が設けられるなどの構造上の理由から、施錠が脆弱なものになりやすい。
【００３６】
しかも、ガラス窓３Ｒの周囲のフレーム枠の部分が、結露を防ぐために樹脂によって形成されてなる開閉扉３の場合においては、特に、そのフレーム枠の部分からの電磁波の漏出を抑える必要がある。
【００３７】
すなわち、ガラス窓３Ｒを有したスライド式の開閉扉３の場合、ガラス面にシールドフィルムを貼ることによって、ガラス窓３Ｒからの電磁波の漏出は抑制できるものの、フレーム枠の部分からの電磁波の漏出が問題となる。
【００３８】
このように、ガラス窓３Ｒを有したスライド式の開閉扉３を備えた冷蔵庫が適用される保管庫１の場合、保管庫１で保管されるボトルＢのセキュリティ性を向上させると共に、電磁波の当該保管庫１からの漏出および混入を抑制できるようにすることが望ましい。
【００３９】
図１において、管理装置９９は、アンテナ２３（２３Ａ，２３Ｃ，２３Ｅ）を介して、各ボトルＢに予め付されたＲＦＩＤタグ２２からタグ情報を非接触で読み取るタグリーダ（タグ情報読み取り部）を有した在荷監視制御部（管理制御部）５０、を備える。在荷監視制御部５０は、保管庫１の外側（庫外）に設置されるようになっており、各アンテナ２３との間がそれぞれ有線ケーブルＫを介して電気接続される。
【００４０】
有線ケーブルＫは、冷蔵庫本体２を貫通しており、特に、シールド性を備えた保管庫１の場合、その貫通部分には漏磁防止策が施されている。つまり、冷蔵庫本体２の貫通部分と有線ケーブルＫとの隙間から、収納室２０内に余計な電磁波が入り込むことがないように構成されている。
【００４１】
有線ケーブルＫとは、例えば、防磁用の金属製のメッシュが配置された防磁ケーブルである。防磁ケーブルを採用することによって、保管庫１の外側から有線ケーブルＫを介して電磁波が混入することや漏出（漏磁）することがないように防止される。
【００４２】
なお、図示していないが、保管庫１に電源を供給するための電源ケーブルや、グランド（ＧＮＤ）に接地される電源ケーブルにも、同様に防磁ケーブルが採用されている。
【００４３】
また、管理装置９９は、外部通信ユニット５１や表示ユニット（図示省略）などを備えるようにしても良い。すなわち、在荷監視制御部５０は、ＲＦＩＤタグ２２から読み取ったタグ情報に基づいて、保管庫１で保管されているボトルＢの在荷情報などを管理するもので、例えば、外部通信ユニット５１を介して、保管庫１の外部に在荷情報などの送信を行うこともできる。また、在荷監視制御部５０は、管理する在荷情報などを、例えば、図示省略の表示ユニットを用いて目視可能に表示するようにしても良い。
【００４４】
一方、冷蔵庫本体２の前面９側には、例えば図１〜図３に示すように、保管庫１の開口部１０の、開閉扉３を覆うようにして、シャッタ部２４からなる電磁シールド装置Ｓが配置されている。シャッタ部２４は、保管庫１とは別体として、後付けによる取り付けが可能とされている。
【００４５】
このように、保管庫１の前面９側にシャッタ部２４を配置することによって、収納室２０内に収納されているボトルＢのセキュリティ性を向上させることが可能となる。しかも、シャッタ部２４にシールド性を持たせ、電磁シールド（電磁シールド装置Ｓ）としても機能させることによって、セキュリティ性のみでなく、保管庫１のシールド性も簡単に向上させることが可能となる。
【００４６】
すなわち、シールド性を備えた保管庫１の場合には、シャッタ部２４からなる電磁シールド装置Ｓと冷蔵庫本体２とによって、収納室２０に所望のシールド空間を形成することができる。これにより、シャッタ閉時には、収納室２０を良好なシールド空間として利用することが可能となる。したがって、シャッタ部２４を閉じた状態とすることによって、開閉扉３のガラス窓３Ｒのフレーム枠の部分からの電磁波の漏出と電磁波の混入とを防止できる。
【００４７】
なお、シャッタ部２４としては、ロール式、ジャバラ式、ブラインド型、間仕切り型など、各種のシャッタ機構を適用できる。
【００４８】
また、シャッタ部２４は、その筐体部分に、収納室２０内の温度をモニタするための温度モニタ６２や、認証付ロック機構１２などを備えるようにしても良い。
【００４９】
認証付ロック機構１２は、例えばシャッタ部２４が不用意に開けられるのを制限するためのもので、施錠状態か／解錠状態であるかを示す施錠解錠情報ＲＲを、在荷監視制御部５０に出力する。
【００５０】
認証付ロック機構１２とは、例えば、認証を受けた使用者が認証用のカードキー（認証用ＩＤカードなど）を近づけることなどにより、シャッタ部２４を施錠したり、逆に、シャッタ部２４の施錠を解除したりするものである。認証付ロック機構１２としては、例えば、商用電源からの電源供給を受けて動作する電磁式ドアロックを採用できる。
【００５１】
このように、認証付ロック機構１２を備えることによって、保管庫１が通常の連続運転を行っている際に、認証を受けた使用者以外の非認証者または第三者がシャッタ部２４を開けるのを防止できる。したがって、保管庫１内で保管されているボトルＢを、使用者以外の者が勝手に取り出すことはできない。これにより、たとえスライド式の開閉扉３の施錠が脆弱であるとしても、ボトルＢの保管上のセキュリティを格段に向上できる。
【００５２】
また、施錠状態を示す施錠解錠情報ＲＲを、例えば、タグ情報の読み取りの契機とすることにより、良好なシールド空間内において、タグ情報の安定した読み取りが可能となる。したがって、読み取り時の電磁波が庫外に漏出したり、読み取り時に電磁波が庫内に混入したりするのを抑制でき、収納品管理の精度を向上させることが可能となる。すなわち、管理するボトルＢの情報が外部に漏れるのを防止できると共に、管理対象でないボトルの情報を誤って管理するといった不具合を解消できる。
【００５３】
なお、認証を受けた使用者が認証付ロック機構１２を操作してシャッタ部２４の施錠を解除しようとした場合には、その認証の結果を、表示ユニットなどを用いて表示させるようにしても良い。表示する認証の結果としては、例えば、ボトルＢの出し入れを行った使用者を特定するための登録番号や使用者名などがあげられる。
【００５４】
すなわち、在荷監視制御部５０は、ＲＦＩＤタグ２２から読み取ったタグ情報に基づいて、保管されているボトルＢの在庫などの在荷情報を管理すると共に、その管理する情報を、外部通信ユニット５１を介して、外部に送信するようになっている。また、在荷監視制御部５０は、管理する情報や、認証付ロック機構１２からの施錠解錠情報ＲＲに応じた認証の結果を、表示ユニットなどによってデジタル表示させることもできる。
【００５５】
［保管庫システムの制御ブロック］
次に、図５を参照して、第１の実施の形態に係る保管庫システムの制御ブロックについて説明する。
【００５６】
保管庫１には、例えば、冷蔵庫本体２内に、温度調整器３１、制御用温度計６０、異常警報部７１、非常ドアロック１３、無停電電源装置であるＵＰＳ（Uninterruptible Power Supply）電源７０、保管庫制御部８０、および、アンテナ２３などが設けられている。
【００５７】
制御用温度計６０としては、例えば熱電対を用いることができる。この制御用温度計６０は、例えば、最も温度変化が大きい敏感な場所として、収納室２０内の開口部１０の近傍などに設けられる。
【００５８】
制御用温度計６０は、保管庫制御部８０に電気的に接続されると共に、例えば、シャッタ部２４の筐体部分に配置された温度モニタ６２と無線または有線により接続されている。すなわち、制御用温度計６０は、検出した測定温度情報Ｍを保管庫制御部８０および温度モニタ６２に供給するようになっている。制御用温度計６０は、例えばブルートゥース（登録商標）などの無線通信により、測定温度情報Ｍを温度モニタ６２に提供可能な構成としても良い。
【００５９】
制御用温度計６０によって測定された測定温度情報Ｍは、温度モニタ６２の制御温度表示部によりデジタル表示される。
【００６０】
保管庫制御部８０は、制御用温度計６０からの測定温度情報Ｍに基づいて、庫内温度が常に一定の温度となるように温度調整器３１を制御したり、一定の温度に制御できないような異常時に異常警報部７１より警報を出力させたりすることが可能とされている。
【００６１】
温度調整器３１は、保管庫制御部８０の制御に応じて温度調整を行うもので、収納室２０内の温度が一定の低温状態（例えば、２℃〜６℃程度）を連続して保持するように、図示していない熱交換器とヒータとを制御する。これにより、各ボトルＢの温度が、好ましくは４℃程度に保持される。
【００６２】
異常警報部７１は、収納室２０内の温度が所定温度（例えば、６℃）を上回ったときに図示せぬ異常警報灯を点灯して、温度の異常上昇を報知する。また、異常警報部７１は、収納室２０内の温度が所定温度（例えば、２℃）を下回ったときに図示せぬ異常警報灯を点灯して、温度の異常下降を報知する。また、異常警報部７１は、収納室２０内の温度が所定の制御温度（例えば、２℃〜６℃）の範囲から外れたときに、図示せぬ異常警報音発生部から警報音を発生させるようにしても良い。
【００６３】
さらに、異常警報部７１としては、例えば、開閉扉３の開放が連続して予め設定された時間を経過した場合などに警報音を発生するようにしても良い。
【００６４】
なお、収納室２０の温度調整に用いられる測定温度情報Ｍは、例えば、保管されているボトルＢ内に収容されている薬品などの温度を直接的に測定するボトル温度計などを用いて取得するようにしても良い。ボトルＢ内に実際に収容されている薬品などは非常に高価な場合もあるため、測定温度情報Ｍとしては、ボトル温度計などを用いてダミーのボトル（図示省略）の内部の温度を間接的に測定するようにしても良い。
【００６５】
ＵＰＳ電源７０は、例えば、冷蔵庫本体２に電源を供給する商用電源（図示省略）が停電により給電できないなどの異常時に、管理装置９９や温度モニタ６２などに電源を供給する。
【００６６】
ＵＰＳ電源７０には、非常ドアロック１３が電気的に接続されている。すなわち、商用電源の停電などの異常時には、収納室２０内のボトルＢが不用意に持ち出されることがないようにするために、非常ドアロック１３によって開閉扉３が強制的に施錠される。
【００６７】
停電などの異常時、仮に収納室２０内の温度が上昇し、例えば収納室２０内の温度が８℃を超えると、ボトルＢ内に収容されている薬品などの品質が劣化する可能性がある。このような異常時においては、非常ドアロック１３によって開閉扉３を強制的に施錠することにより、品質が劣化した薬品などが誤って使用されるのを未然に防ぐことができる。
【００６８】
これに対し、管理装置９９の、タグリーダを有した在荷監視制御部５０は、アンテナ２３を介して、保管庫１の収納室２０内で保管されている各ボトルＢの、ＲＦＩＤタグ２２からタグ情報を非接触で読み取って、全ボトルＢの在庫などの在荷情報を管理する。
【００６９】
在荷情報とは、例えば、各ボトルＢのロット番号や、収容されている薬品などの種類、または、その薬品の使用期限などに関する情報であって、各ボトルＢの収納室２０への出し入れに伴う日時（使用の履歴）などの管理状況を含むものであっても良い。
【００７０】
すなわち、タグ情報の読み取りは、タグリーダから不定期的（例えば、認証付ロック機構１２からの施錠状態を示す施錠解錠情報ＲＲを契機とする）に、アンテナ２３を介して、保管されている各ボトルＢに対して、所定の問い合わせが行われる。
【００７１】
この問い合わせに対して、各ボトルＢのＲＦＩＤタグ２２からは、それぞれが記憶するタグ情報がアンテナ２３へと送信される。こうして、タグリーダによるタグ情報の読み取りが行われる。
【００７２】
なお、タグ情報の読み取りのタイミングは、例えば、シャッタ部２４が実際に閉じられたことを契機としても良い。
【００７３】
また、外部通信ユニット５１を介して、無線もしくは有線により在荷情報などを外部に出力させることで、例えば遠隔地において、管理者などが複数の保管庫システムの在荷情報を集中管理（一括管理）できるように構成することも可能である。
【００７４】
上記したように、本実施の形態によれば、保管庫１で保管されるボトルＢのセキュリティ性を向上できると共に、電磁波の保管庫１からの漏出や庫外からの混入を抑制することが可能となる。
【００７５】
すなわち、電磁シールド装置Ｓとしても機能するシャッタ部２４を保管庫１の前面９に配置することによって、収納室２０が不用意に開放されるのを簡単に防止できるようにしている。これにより、ボトルＢの出し入れを勝手に行えないようにすると共に、シャッタ閉時には、ボトルＢの情報が庫外に漏れたり、混入したりするのを確実に防止できるようになる。したがって、保管庫１で保管されるボトルＢのセキュリティ性とシールド性とを格段に向上させることが可能となり、収納品管理における精度を高めることが可能となるものである。
【００７６】
特に、施錠が脆弱であるとされる、ガラス窓３Ｒを有するスライド式の開閉扉３を採用する冷蔵庫を保管庫１として適用する際にも、十分なセキュリティ性とシールド性とを確保できるようになるものである。
【００７７】
なお、本実施の形態においては、開口部１０を開閉する開閉扉３の有無や構造に限定されるものではなく、例えば、冷気が逃げないようにロール式の樹脂シートなどを遮断カーテンとして採用する冷蔵庫などにも同様に適用できる。
【００７８】
＜第２の実施の形態＞
図６は、本発明の第２の実施の形態に係る保管庫システムの構成例を概略的に示すものである。なお、第１の実施の形態の保管庫システムと同一部分には、同一または類似の符号を付して詳しい説明は省略する。
【００７９】
すなわち、本実施の形態に係る保管庫システムは、例えば図６に示すように、大型モニタのような表示ユニット３４を、管理装置９９とは別体として備えるようにした場合を例示したものである。管理装置９９と別体とすることにより、表示ユニット３４の大型化が可能となる。
【００８０】
表示ユニット３４は、例えば、ボトルＢのＲＦＩＤタグ２２から読み取ったタグ情報や、タグ情報に基づく在荷情報をデジタル表示したり、ボトルＢの出し入れを行った使用者を特定するための情報を認証の結果として表示したりすることが可能とされる。
【００８１】
また、表示ユニット３４においては、例えば在荷情報に基づいて、ボトルＢ内に収容されている薬品などの使用期限切れが間近に迫っていることを警告するようにしても良い。また、収納室２０内より取り出されたボトルＢが所定の時間を経過した後に再び収納室２０に収納される際に、例えば、当該ボトルＢは薬品としての効力が著しく低下しており、再度の保管には適さないことなどを注意喚起するようにしても良い。
【００８２】
このように、本発明の第２の実施の形態に係る保管庫システムによれば、ボトルＢを保管する際のセキュリティ性およびシールド性の強化や、ボトルＢを管理する上での精度の向上のみでなく、各種の情報をより多く目視可能に表示できるようになる。よって、その現場において、出し入れの最中にボトルＢ内の薬品などの使用期限などを常に確認することが可能となる。
【００８３】
なお、上記した各実施の形態においては、スライド式の開閉扉３を備える保管庫１に限らず、例えば、観音開き（両開き）式の２枚ドアを備える冷蔵庫や、片開き式の１枚ドアを備える冷蔵庫にも同様に適用できる。
【００８４】
また、保管庫１としては、冷蔵庫に限らず、例えば、所定の温度状態を維持するように温度調整された恒温槽、あるいは、ショーケース、整理棚、または、キャビネットなどであっても良い。
【００８５】
上述したように、本発明の一態様の保管庫システムは、開口部１０を有し、ボトルＢを保管する収納室２０を備え、電磁波に対するシールド対策が施された保管庫１の冷蔵庫本体２と、開口部１０を開閉する開閉扉３と、開閉扉３の前面を覆うように配置され、電磁シールド装置Ｓとしての機能を備えたシャッタ部２４と、収納室２０内に設けられたアンテナ２３と、アンテナ２３を介して、ボトルＢに予め付されたＲＦＩＤタグ２２のタグ情報を読み取るタグリーダを有し、タグリーダで読み取ったタグ情報に基づいて、保管庫１で保管されるボトルＢを管理する在荷監視制御部５０と、を備える。
【００８６】
本発明の一態様の保管庫システムによれば、保管庫１の前面にシャッタ部２４を配置することによって、収納室２０が不用意に開放されるのを簡単に防止できるようになる。これにより、開口部１０を開閉する開閉扉の有無や構造によらず、保管庫１で保管されるボトルＢのセキュリティ性を格段に向上させることが可能となる。つまり、施錠が比較的に脆弱とされるスライド式の開閉扉３の場合であっても、高いセキュリティ性を確保できる。
【００８７】
また、シャッタ部２４に電磁シールド装置Ｓとしての機能を備えさせることによって、シャッタ部２４の閉時には、完全なシールド空間内において、ボトルＢの保管とタグ情報の読み取りとを行うことが可能となる。したがって、電磁波の漏出のみならず、混入をも防止できる。よって、ボトルＢに関する各種の情報が外部の第三者などに漏出するのを防止できると共に、保管対象外のタグ情報を誤って読み取ることにより収納品管理の精度が悪化するのを改善することが可能となる。
【００８８】
また、タグリーダは、無線通信によりＲＦＩＤタグ２２に事前に登録されているタグ情報を非接触で読み取る。
【００８９】
これにより、ボトルＢのタグ情報を正確に読み取ることが可能となる。
【００９０】
また、アンテナ２３と在荷監視制御部５０とによって、管理装置９９としてのＲＦＩＤシステムが構成されている。
【００９１】
これにより、管理装置９９を容易に提供することができる。
【００９２】
また、管理装置９９は、アンテナ２３と在荷監視制御部５０とが、防磁用の金属製のメッシュが配置された防磁ケーブルからなる有線ケーブルＫを介して接続されている。
【００９３】
これにより、保管庫１の外側から有線ケーブルＫを介して電磁波が混入することや漏出（漏磁）することがないように防止される。
【００９４】
また、有線ケーブルＫは、冷蔵庫本体２を貫通しており、その貫通部分には漏磁防止策が施されている。
【００９５】
これにより、冷蔵庫本体２の貫通部分と有線ケーブルＫとの隙間から、収納室２０内に余計な電磁波が入り込むことがないように構成されている。
【００９６】
また、管理装置９９は、外部通信ユニット５１をさらに備える。
【００９７】
これにより、遠隔地などにおいて、管理者などが複数の保管庫システムの在荷情報を集中管理（一括管理）できるようになる。
【００９８】
また、開閉扉３は、ガラス窓３Ｒを備えたスライド式の開閉扉である。
【００９９】
これにより、施錠が比較的に脆弱とされるスライド式の開閉扉３であっても、高いセキュリティ性を確保できる。
【０１００】
また、開閉扉３は、ガラス窓３Ｒのフレーム枠が樹脂によって形成されている。
【０１０１】
これにより、ガラス窓３Ｒのフレーム枠が樹脂によって形成されている開閉扉３であっても、高いシールド性を確保できる。
【０１０２】
以上、いくつかの実施の形態を例示して本発明の態様について説明したが、各実施の形態は一例であり、特許請求の範囲に記載される発明の範囲は、発明の要旨を逸脱しない範囲内で種々変更できるものである。
【０１０３】
保管庫１に適用される冷蔵庫としては、例えば、非常ドアロック１３やＵＰＳ電源７０などを有さない、温度管理された状態で連続運転が可能な、最もベーシックなタイプの市販の冷蔵庫（既製品）であっても良い。市販の冷蔵庫を適用した場合には、システムとしての大幅な低廉化が可能となる。
【符号の説明】
【０１０４】
１                              保管庫
３                              開閉扉（スライド式）
１０                            開口部
１２                            認証付ロック機構
２０                            収納室
２２                            ＲＦＩＤタグ（ＩＣタグ）
２３，２３Ａ，２３Ｃ，２３Ｅ    アンテナ（アンテナ部）
２４                            シャッタ部
３１                            温度調整器
３４                            表示ユニット
５０                            在荷監視制御部（管理制御部）
５１                            外部通信ユニット
６０                            制御用温度計
６２                            温度モニタ
８０                            保管庫制御部
９９                            管理装置（ＲＦＩＤシステム）
Ｂ                              ボトル（保管対象物）
Ｓ                              電磁シールド装置
【要約】
【課題】保管庫で保管されるボトルのセキュリティ性を向上できると共に、電磁波の庫外への漏出と庫内への混入とを抑制できるようにする。
【解決手段】保管庫システムは、開口部１０を有し、ボトルＢを保管する収納室２０を備えると共に、電磁波に対するシールド対策が施された保管庫１の本体２と、開口部１０を開閉する開閉扉３と、開閉扉３の前面を覆うように配置され、電磁シールド装置Ｓとしての機能を備えたシャッタ部２４と、収納室２０内に設けられたアンテナ２３と、アンテナ２３を介して、ボトルＢに予め付されたＲＦＩＤタグ２２のタグ情報を読み取るタグリーダを有し、タグリーダで読み取ったタグ情報に基づいて、保管庫１で保管されるボトルＢを管理する管理制御部５０と、を備える。
【選択図】図１【図１】
0006775808.tif 000002
【図２】
0006775808.tif 000003
【図３】
0006775808.tif 000004
【図４】
0006775808.tif 000005
【図５】
0006775808.tif 000006
【図６】
0006775808.tif 000007